(57)【特許請求の範囲】
【請求項１】
多店舗型施設の各施設に設置されている設備装置の制御を行う設備運用システムであって、
前記施設の設備装置の制御処理装置が、
各設備装置の時刻ごとのエネルギー利用状況データを各設備装置から受信し、
当該各設備の時刻ごとのエネルギー利用状況データを正規化してエネルギー利用状況正規化データを新たに生成し、
自施設又は他施設の制御処理装置が過去に生成したエネルギー利用状況正規化データを自装置の備える記憶装置から読み取って、当該読み取ったエネルギー利用状況正規化データと、当該新たに生成したエネルギー利用状況正規化データとの相関を相関判定演算処理に基づいて判定し、
前記新たに生成したエネルギー利用状況正規化データと、前記過去に生成したエネルギー利用状況正規化データとの相関がない場合には、前記記憶装置に記憶した自施設における売上データのうち、前記新たに生成したエネルギー利用状況正規化データが示す日付の売上データと、前記過去に生成したエネルギー利用状況正規化データが示す日付の売上データとを前記記憶装置から読み取ってそれらの売上データの相関を相関判定演算処理に基づいて判定し、それら２つの売上データについて相関ありと判定した場合には現状の制御ルールを用いて前記各設備装置を制御し、前記２つの売上データについて相関なしと判定した場合には前記新たに生成したエネルギー利用状況正規化データと、前記新たに生成したエネルギー利用状況正規化データが示す日付の売上データとをセンター装置へ送信し、
前記センター装置の備える記憶装置において各設備装置の制御ルール複数のそれぞれ対応付けられて記憶されたエネルギー利用状況正規化データと売上データの組合せのうち、自装置が前記センター装置へ送信した前記エネルギー利用状況正規化データと前記売上データのそれぞれに相関があると前記センター装置により相関判定演算処理に基づいて判定され前記センター装置の備える記憶装置から読み出されたエネルギー利用状況正規化データと売上データの組合せに対応する前記各設備装置の制御ルールを当該センター装置より受信し、
当該受信した制御ルールを用いて前記各設備装置を制御する
ことを特徴とする設備運用システム。
【請求項２】
前記センター装置は、各施設に備えられた前記制御処理装置より、前記エネルギー利用状況正規化データと、前記売上データと、当該エネルギー利用状況正規化データが生成された際に前記各設備装置の制御に利用された前記制御ルールとの組合せを受信し、
その受信した組合せを表示し、最も適切とユーザにより判断された前記組合せの入力を受けてその組み合わせを前記センター装置が備える記憶装置に記録する
ことを特徴とする請求項１に記載の設備運用システム。
【請求項３】
前記センター装置は、
前記制御処理装置より受信した、前記エネルギー利用状況正規化データと前記売上データのそれぞれに相関のある、エネルギー利用状況正規化データと売上データの組合せを自装置が備える記憶装置に記憶していない場合には、エラー情報を出力する
ことを特徴とする請求項１または請求項２に記載の設備運用システム。
【請求項４】
多店舗型施設の各施設に設置されている設備装置の制御を行う設備運用システムの処理方法であって、
前記施設の設備装置の制御処理装置が、
各設備装置の時刻ごとのエネルギー利用状況データを各設備装置から受信し、
当該各設備の時刻ごとのエネルギー利用状況データを正規化してエネルギー利用状況正規化データを新たに生成し、
自施設又は他施設の制御処理装置が過去に生成したエネルギー利用状況正規化データを自装置の備える記憶装置から読み取って、当該読み取ったエネルギー利用状況正規化データと、当該新たに生成したエネルギー利用状況正規化データとの相関を相関判定演算処理に基づいて判定し、
前記新たに生成したエネルギー利用状況正規化データと、前記過去に生成したエネルギー利用状況正規化データとの相関がない場合には、前記記憶装置に記憶した自施設における売上データのうち、前記新たに生成したエネルギー利用状況正規化データが示す日付の売上データと、前記過去に生成したエネルギー利用状況正規化データが示す日付の売上データとを前記記憶装置から読み取ってそれらの売上データの相関を相関判定演算処理に基づいて判定し、それら２つの売上データについて相関ありと判定した場合には現状の制御ルールを用いて前記各設備装置を制御し、前記２つの売上データについて相関なしと判定した場合には前記新たに生成したエネルギー利用状況正規化データと、前記新たに生成したエネルギー利用状況正規化データが示す日付の売上データとをセンター装置へ送信し、
前記センター装置の備える記憶装置において各設備装置の制御ルール複数のそれぞれ対応付けられて記憶されたエネルギー利用状況正規化データと売上データの組合せのうち、自装置が前記センター装置へ送信した前記エネルギー利用状況正規化データと前記売上データのそれぞれに相関があると前記センター装置により相関判定演算処理に基づいて判定され前記センター装置の備える記憶装置から読み出されたエネルギー利用状況正規化データと売上データの組合せに対応する前記各設備装置の制御ルールを当該センター装置より受信し、
当該受信した制御ルールを用いて前記各設備装置を制御する
ことを特徴とする処理方法。
【請求項５】
前記センター装置は、各施設に備えられた前記制御処理装置より、前記エネルギー利用状況正規化データと、前記売上データと、当該エネルギー利用状況正規化データが生成された際に前記各設備装置の制御に利用された前記制御ルールとの組合せを受信し、
その受信した組合せを表示し、最も適切とユーザにより判断された前記組合せの入力を受けてその組み合わせを前記センター装置が備える記憶装置に記憶する
ことを特徴とする請求項４に記載の処理方法。
【請求項６】
多店舗型施設の各施設に設置されている設備装置の制御を行う設備運用システムに備えられた、前記施設の設備装置の制御処理装置のコンピュータを、
各設備装置の時刻ごとのエネルギー利用状況データを各設備装置から受信する手段、
当該各設備の時刻ごとのエネルギー利用状況データを正規化してエネルギー利用状況正規化データを新たに生成する手段、
自施設又は他施設の制御処理装置が過去に生成したエネルギー利用状況正規化データを自装置の備える記憶装置から読み取って、当該読み取ったエネルギー利用状況正規化データと、当該新たに生成したエネルギー利用状況正規化データとの相関を相関判定演算処理に基づいて判定する手段、
前記新たに生成したエネルギー利用状況正規化データと、前記過去に生成したエネルギー利用状況正規化データとの相関がない場合には、前記記憶装置に記憶した自施設における売上データのうち、前記新たに生成したエネルギー利用状況正規化データが示す日付の売上データと、前記過去に生成したエネルギー利用状況正規化データが示す日付の売上データとを前記記憶装置から読み取ってそれらの売上データの相関を相関判定演算処理に基づいて判定し、それら２つの売上データについて相関ありと判定した場合には現状の制御ルールを用いて前記各設備装置を制御し、前記２つの売上データについて相関なしと判定した場合には前記新たに生成したエネルギー利用状況正規化データと、前記新たに生成したエネルギー利用状況正規化データが示す日付の売上データとをセンター装置へ送信する手段、
前記センター装置の備える記憶装置において各設備装置の制御ルール複数のそれぞれ対応付けられて記憶されたエネルギー利用状況正規化データと売上データの組合せのうち、自装置が前記センター装置へ送信した前記エネルギー利用状況正規化データと前記売上データのそれぞれに相関があると前記センター装置により相関判定演算処理に基づいて判定され前記センター装置の備える記憶装置から読み出されたエネルギー利用状況正規化データと売上データの組合せに対応する前記各設備装置の制御ルールを当該センター装置より受信する手段、
当該受信した制御ルールを用いて前記各設備装置を制御する手段、
として機能させることを特徴とするプログラム。
【発明の詳細な説明】
【技術分野】
【０００１】
本発明は、多店舗型施設の設備運用システムとその処理方法とプログラムに係り、特に、各店舗におけるエネルギー利用状況を客観的に管理して効率的なエネルギー利用を可能にし、多店舗型施設の省エネルギー化推進を図れるようにしたものに関する。
【背景技術】
【０００２】
デパートのような大型の商業施設では、ビルオートメーションシステム等のファシリティ管理システムを用いて効率的なエネルギー利用を行って省エネルギー化が図られている。しかしながら、チェーン展開されているコンビニエンスストア、ファーストフード店、ファミリレストラン、スーパーマーケット等の多店舗型施設では、１店舗当たりの施設規模が小さいために高価なファシリティ管理システムを採用できず、利用エネルギーの運用・管理が手付かずの状態にある。しかも、多店舗型施設の１店舗運営にかかる電気、ガス、水道等のエネルギー利用は、同等規模の一般住宅などに比べて冷凍冷蔵庫や空調機等の設備機器の利用度合いが非常に高く、エネルギー利用効率が高くないと言われている。
【０００３】
店舗におけるエネルギー利用については、上述のような課題を有しているので、これを解決するための方策が種々提案されている。例えば、特許文献１では、店舗用電気機器に設けられた各センサからの検出信号を受けて電気機器運用アルゴリズムに基づき各店舗用電気機器間の状態量に一定の相関をとらせて管理・制御する制御信号を各電気機器へ出力する制御部と、この制御部の電気機器運用アルゴリズムを更新する更新手段とを備えて、省エネルギーを図る店舗用エネルギー機器運用システムが提案されている。
また、特許文献２では、各フランチャイズチェーン店に設けられた店舗設備からの情報を入力する入力部と、その入力部の情報を解析部へ出力するネットワークサーバと、そのネットワークサーバが受け取った情報に基づいて最適エネルギーコストを計算し、その計算に基づいて店舗設備に制御信号を送信する解析部と、その解析部から制御信号を受け取って店舗設備に出力する出力部とを備えたフランチャイズチェーン店監視制御システムが提案されている。
【０００４】
そして、特許文献３では、店舗における空気調和機、ショーケース、照明機器等の各種機器の状態を示す情報をサービスセンタや監視装置に送信して監視・制御する店舗管理システムが提案されている。
さらに、特許文献４では、熱負荷の需要予測値と各熱源機器の熱エネルギー供給能力及び時間要素とを基に運転パターンを作成する運転方式生成部と、この作成された運転パターンを取込んで熱源機器を運転制御する運転制御部と、冷暖房設備よりフィードバックされる運転実績データをもとに上記作成された運転パターンを比較評価してその比較評価値が最大となるように運転方式作成部に修正データを与える運転方式比較評価部とを備えた冷暖房設備の運転管理装置が提案されている。
また、特許文献５では、店舗における空調機や冷蔵庫等の電気機器に対応した状態量を検出する各センサと、これらの各センサからの検出信号を受けて、対応する電気機器の設定状態を予め設定された優先度に従った順序で管理・制御する制御信号をサービスセンタに接続されている通信ポートから出力する管理・制御手段とを備えた店舗用設備機器管理システムが提案されている。
【先行技術文献】
【特許文献】
【０００５】
【特許文献１】特開２００１−２１８３６７号公報
【特許文献２】特開２００２−２６８７３５号公報
【特許文献３】特開２００３−９０５８６号公報
【特許文献４】特開平５−２３３０１２号公報
【特許文献５】特開平１１−２０６０１４号公報
【発明の概要】
【発明が解決しようとする課題】
【０００６】
上記各特許文献に示されるように、店舗におけるエネルギー利用の有効利用については種々提案されているが、多店舗型施設の各店舗における設備の省エネルギーが十分に図られているとは言えなかった。なお、上記特許文献２では、フランチァイズチェーン店における各店のエネルギー情報を収集し、その収集した情報を解析して監視するようにしているが、ここでも、本発明に係る各店舗における設備の運用情報を一定時間で正規化した情報は用いられていない。
【０００７】
そこでこの発明は、上述の課題を解決することのできる多店舗型施設の設備運用システムとその処理方法とプログラムを提供することを目的としている。
【課題を解決するための手段】
【０００８】
上記目的を達成するために、本発明は、多店舗型施設の各施設に設置されている設備装置の制御を行う設備運用システムであって、前記施設の設備装置の制御処理装置が、各設備装置の時刻ごとのエネルギー利用状況データを各設備装置から受信し、当該各設備の時刻ごとのエネルギー利用状況データを正規化してエネルギー利用状況正規化データを新たに生成し、自施設又は他施設の制御処理装置が過去に生成したエネルギー利用状況正規化データを自装置の備える記憶装置から読み取って、当該読み取ったエネルギー利用状況正規化データと、当該新たに生成したエネルギー利用状況正規化データとの相関を相関判定演算処理に基づいて判定し、前記新たに生成したエネルギー利用状況正規化データと、前記過去に生成したエネルギー利用状況正規化データとの相関がない場合には、前記記憶装置に記憶した自施設における売上データのうち、前記新たに生成したエネルギー利用状況正規化データが示す日付の売上データと、前記過去に生成したエネルギー利用状況正規化データが示す日付の売上データとを前記記憶装置から読み取ってそれらの売上データの相関を相関判定演算処理に基づいて判定し、それら２つの売上データについて相関ありと判定した場合には現状の制御ルールを用いて前記各設備装置を制御し、前記２つの売上データについて相関なしと判定した場合には前記新たに生成したエネルギー利用状況正規化データと、前記新たに生成したエネルギー利用状況正規化データが示す日付の売上データとをセンター装置へ送信し、前記センター装置の備える記憶装置において各設備装置の制御ルール複数のそれぞれ対応付けられて記憶されたエネルギー利用状況正規化データと売上データの組合せのうち、自装置が前記センター装置へ送信した前記エネルギー利用状況正規化データと前記売上データのそれぞれに相関があると前記センター装置により相関判定演算処理に基づいて判定され前記センター装置の備える記憶装置から読み出されたエネルギー利用状況正規化データと売上データの組合せに対応する前記各設備装置の制御ルールを当該センター装置より受信し、当該受信した制御ルールを用いて前記各設備装置を制御することを特徴とする設備運用システムである。
【０００９】
また本発明は、多店舗型施設の各施設に設置されている設備装置の制御を行う設備運用システムの処理方法であって、前記施設の設備装置の制御処理装置が、各設備装置の時刻ごとのエネルギー利用状況データを各設備装置から受信し、当該各設備の時刻ごとのエネルギー利用状況データを正規化してエネルギー利用状況正規化データを新たに生成し、自施設又は他施設の制御処理装置が過去に生成したエネルギー利用状況正規化データを自装置の備える記憶装置から読み取って、当該読み取ったエネルギー利用状況正規化データと、当該新たに生成したエネルギー利用状況正規化データとの相関を相関判定演算処理に基づいて判定し、前記新たに生成したエネルギー利用状況正規化データと、前記過去に生成したエネルギー利用状況正規化データとの相関がない場合には、前記記憶装置に記憶した自施設における売上データのうち、前記新たに生成したエネルギー利用状況正規化データが示す日付の売上データと、前記過去に生成したエネルギー利用状況正規化データが示す日付の売上データとを前記記憶装置から読み取ってそれらの売上データの相関を相関判定演算処理に基づいて判定し、それら２つの売上データについて相関ありと判定した場合には現状の制御ルールを用いて前記各設備装置を制御し、前記２つの売上データについて相関なしと判定した場合には前記新たに生成したエネルギー利用状況正規化データと、前記新たに生成したエネルギー利用状況正規化データが示す日付の売上データとをセンター装置へ送信し、前記センター装置の備える記憶装置において各設備装置の制御ルール複数のそれぞれ対応付けられて記憶されたエネルギー利用状況正規化データと売上データの組合せのうち、自装置が前記センター装置へ送信した前記エネルギー利用状況正規化データと前記売上データのそれぞれに相関があると前記センター装置により相関判定演算処理に基づいて判定され前記センター装置の備える記憶装置から読み出されたエネルギー利用状況正規化データと売上データの組合せに対応する前記各設備装置の制御ルールを当該センター装置より受信し、当該受信した制御ルールを用いて前記各設備装置を制御することを特徴とする処理方法である。
【００１０】
また本発明は、多店舗型施設の各施設に設置されている設備装置の制御を行う設備運用システムに備えられた、前記施設の設備装置の制御処理装置のコンピュータを、各設備装置の時刻ごとのエネルギー利用状況データを各設備装置から受信する手段、当該各設備の時刻ごとのエネルギー利用状況データを正規化してエネルギー利用状況正規化データを新たに生成する手段、自施設又は他施設の制御処理装置が過去に生成したエネルギー利用状況正規化データを自装置の備える記憶装置から読み取って、当該読み取ったエネルギー利用状況正規化データと、当該新たに生成したエネルギー利用状況正規化データとの相関を相関判定演算処理に基づいて判定する手段、前記新たに生成したエネルギー利用状況正規化データと、前記過去に生成したエネルギー利用状況正規化データとの相関がない場合には、前記記憶装置に記憶した自施設における売上データのうち、前記新たに生成したエネルギー利用状況正規化データが示す日付の売上データと、前記過去に生成したエネルギー利用状況正規化データが示す日付の売上データとを前記記憶装置から読み取ってそれらの売上データの相関を相関判定演算処理に基づいて判定し、それら２つの売上データについて相関ありと判定した場合には現状の制御ルールを用いて前記各設備装置を制御し、前記２つの売上データについて相関なしと判定した場合には前記新たに生成したエネルギー利用状況正規化データと、前記新たに生成したエネルギー利用状況正規化データが示す日付の売上データとをセンター装置へ送信する手段、前記センター装置の備える記憶装置において各設備装置の制御ルール複数のそれぞれ対応付けられて記憶されたエネルギー利用状況正規化データと売上データの組合せのうち、自装置が前記センター装置へ送信した前記エネルギー利用状況正規化データと前記売上データのそれぞれに相関があると前記センター装置により相関判定演算処理に基づいて判定され前記センター装置の備える記憶装置から読み出されたエネルギー利用状況正規化データと売上データの組合せに対応する前記各設備装置の制御ルールを当該センター装置より受信する手段、当該受信した制御ルールを用いて前記各設備装置を制御する手段、として機能させることを特徴とするプログラムである。
【発明の効果】
【００１１】
本発明によれば、設備装置運用制御手段は、各施設の設備装置の運用情報を一定時間で正規化した正規化情報と各施設の施設記憶手段記憶されている情報とを比較して、又はその正規化情報とその施設記憶手段に記憶されている情報及びセンター記憶手段に各施設から集められた記憶されている情報とを比較して設備装置を運用するようにしているので、過去の情報と比較することができるから、設備装置の効率的な運用を図ることができる。また、センターで管理している他の施設の情報とも相対的に比較できるので効率的に運用している施設があればその施設の制御ルールで設備装置を制御することができる。さらに、本発明に係る多店舗型施設の設備運用システムは、他施設との間で学習されるので時間経過とともに設備装置の運用効率を高めることができる。
【図面の簡単な説明】
【００１２】
【図１】本発明の多店舗型施設の設備運用システムの一実施形態を示すシステム構成図である。
【図２】多店舗型施設の設備運用システムの全体処理のフローチャートである。
【図３】設備装置のパターンデータ，売上データの例を示す説明図である。
【図４】本発明の多店舗型施設の設備運用システムの他の実施形態を示す説明図である。
【発明を実施するための形態】
【００１３】
以下、本発明の実施の形態を図面を用いて説明する。
ここで、本実施形態による設備運用システムは、多店舗型施設の各施設に設置されている設備装置の制御を行う設備運用システムであって、施設の設備装置の制御処理装置が、各設備装置の時刻ごとのエネルギー利用状況データを各設備装置から受信し、当該各設備の時刻ごとのエネルギー利用状況データを正規化してエネルギー利用状況正規化データを新たに生成し、当該新たに生成したエネルギー利用状況正規化データと、過去に生成したエネルギー利用状況正規化データとの相関を判定する。次に、制御処理装置は、新たに生成したエネルギー利用状況正規化データと、過去に生成したエネルギー利用状況正規化データとの相関がない場合には、新たに生成したエネルギー利用状況正規化データと、新たに生成したエネルギー利用状況正規化データが示す日付の売上データとをセンター装置へ送信する。そして、センター装置より、センター装置へ送信したエネルギー利用状況正規化データと売上データのそれぞれに相関のあると判定された、エネルギー利用状況正規化データと売上データの組合せに対応する各設備装置の制御ルールを受信し、当該受信した制御ルールを用いて前記各設備装置を制御する。
【００１４】
また、本実施形態による設備運用システムにおいては、センター装置は、各施設に備えられた制御処理装置より、エネルギー利用状況正規化データと、売上データと、当該エネルギー利用状況正規化データが生成された際に各設備装置の制御に利用された制御ルールとの組合せを受信し、その受信した組合せのうち、最も適切と判断された組合せを記憶する。
【００１５】
また、本実施形態による設備運用システムにおいては、センター装置は、制御処理装置より受信した、エネルギー利用状況正規化データと売上データのそれぞれに相関のある、エネルギー利用状況正規化データと売上データの組合せを記憶していない場合には、エラー情報を出力する。
【００１６】
図１は、本発明の多店舗型施設の設備運用システムの一実施形態に係るシステム構成図である。ここでは、図面を簡略化するために、多店舗型施設の例としてチェーン展開されている同等規模の二つの店舗の施設Ａ及び施設Ｂのみが示されている。したがって、実際の多店舗型施設は、３以上の同等規模の多くの店舗で構成されている。また、この多店舗型施設は、本社あるいは本部と呼ばれる箇所で統括的に管理運営されていて、ここでは、センターＣとして示されている。
【００１７】
施設Ａ及び施設Ｂに設けられる装置は同一構成であるので、以下、施設Ａに設けられる装置を例に説明する。なお、施設Ｂに設けられる装置には、施設Ａの数字・符号と同一の数字・符号に「Ｂ」が付されて図示されている。
【００１８】
施設Ａには、空調機や冷蔵冷凍庫等の多くの電力を消費する施設が設けられているが、ここでは、図面を簡略化するために、二つの設備装置Ａ１０１，Ａ１０２のみが示されている。また、この施設Ａには、ＣＰＵを中心に構成されている処理装置Ａ２０１及び処理装置Ａ２０２（制御処理装置）が設けられている。そして、処理装置Ａ２０１には、所定のデータを記憶するための記憶装置Ａ３０１が接続され、処理装置Ａ２０２（制御処理装置）には、所定のデータを記憶するための記憶装置Ａ３０２が接続されている。
【００１９】
上記処理装置Ａ２０１は、施設Ａにおける販売データ等の業務を扱う処理装置であり、図示しないレジスタ等の機器が接続されている。また、処理装置Ａ２０２は、ネットワークＮＡを介して設備装置Ａ１０１及び設備装置Ａ１０２が接続されていて、設備装置Ａ１０１及び設備装置Ａ１０２にそれぞれ接続されているセンサＳ１，Ｓ２で検出されたデータを収集できるように構成されているとともに、所定の制御ルールに基づいて設備装置Ａ１０１及び設備装置Ａ１０２をそれぞれ制御できるように構成されている。さらに、この処理装置Ａ２０２には、処理装置Ａ２０１が接続されているとともに、公衆回線網等からなるネットワークＮＣを介しセンターＣに接続されている。このネットワークＮＣには、施設Ｂの処理装置Ｂ２０２も接続されている。なお制御ルールは設備装置ごとにそれぞれことなるものが利用されている。当該制御ルールは、例えば、各施設の担当者が設定したものである。制御ルールの具体例としては、設備装置が冷蔵庫や空調機などであれば時間帯などの情報に応じた温度の強，中，弱の情報、設備装置がフライヤであれば時間帯などの情報に応じた電源のＯＮ，ＯＦＦの情報や省エネモード，通常モードなどの情報である。
【００２０】
センターＣには、ホストコンピュータからなる処理装置Ｃ２０１（センター装置）が設けられている。そして、この処理装置Ｃ２０１（センター装置）には、アラーム表示を行うことのできる表示装置Ｃ２０２が接続されているとともに、所定のデータを記憶するための記憶装置Ｃ３０２が接続されている。
【００２１】
ここで、予め各施設の処理装置２０２は、設備装置のエネルギー利用状況データに基づいて生成されたパタンーンデータを記憶装置３０２に記憶しており、当該パターンデータと、そのときの各設備装置の制御に利用した制御ルールをネットワークＮＣを介してセンターＣの処理装置Ｃ２０１へ定期的に送信する。また各施設の処理装置２０２（Ａ２０２またはＢ２０２）は、自施設内の処理装置２０１（Ａ２０１またはＢ２０１）の記憶する売上データを読み取って、ネットワークＮＣを介してセンターＣの処理装置Ｃ２０１へ定期的に送信する。そしてセンターＣの処理装置Ｃ２０１は記憶装置Ｃ３０２に各施設の設備装置ごとのパターンデータと売上データと制御ルールの組合せのデータを記録する。ここで、センターＣの管理者は、パターンデータと売上データの組合せを表示装置Ｃ２０２に表示させて閲覧し、パターンデータと売上データの組合せに応じて最も適切と考えられる制御ルールを処理装置Ｃ２０１に記録しておく。
【００２２】
次に、上記構成からなる多店舗型施設の設備運用システムの処理を図２のフローチャート及び図３のパターンデータ，売上データの説明図を用いて説明する。この処理は、施設Ａ及び施設Ｂで同一に行われるので施設Ａを例に説明する。
【００２３】
今、所定時刻が到来して場合には、設備装置Ａ１０１，Ａ１０２のセンサＳ１，Ｓ２で検出されたデータ（エネルギー利用状況データ）を処理装置Ａ２０２が収集する。処理装置Ａ２０２は、その収集したデータ（エネルギー利用状況データ）を一定時間単位で正規化された正規化データ（エネルギー利用状況正規化データ）として生成する（図２のステップ１（以下、図２のステップを「Ｓ」とする。）、図３（ａ）参照）。
【００２４】
図３（ａ）において、左側のグラフは、設備装置Ａ１０１の温度変化の正規化データであり、右側のグラフは、設備装置Ａ１０２の消費電力変化の正規化データであって、これらはパターンデータＡ（以下、パターンＡ）として示されている。また、施設Ａの処理装置Ａ２０１では、施設Ａの売上データを記憶装置Ａ３０１に記憶している。この売上データは後述の期間データ「Ａ４０１」として利用される。なお、図３（ａ）は、施設Ａの２０１０年１２月１日の例であり、同図（ｂ）は、施設Ｂの２００９年１２月１４日の例であり、そして同図（ｃ）は、施設Ａの２００９年１２月１０日の例である。
【００２５】
処理装置Ａ２０２は、記憶装置Ａ３０２に記憶されている過去のパターンＡ’を読み込み（Ｓ２）、当該パターンＡ’と、Ｓ１で生成した正規化データ（パターンＡ）との相関性を（例えば、各パターンが示す設備装置ごとの正規化データごとに）判定する（Ｓ３）。その判定の結果、両者間に所定以上の相関があるとき（例えば、各設備装置の正規化データごとの相関が全て閾値以上である場合など）は（相関性Ｙｅｓ）、処理装置Ａ２０２は、生成したパターンＡを、新たな過去のパターンとＡ’として記憶装置Ａ３０２に記録（記憶）する（Ｓ４）。なお、この場合は、処理装置Ａ２０２は、これまでの所定の制御ルールで設備装置Ａ１０１及び設備装置Ａ１０２を制御する。そして、これにより特に制御ルールを変えることなく処理が終了する。ここで、正規化データの相関を算出する手法は、相関判定演算を用いるが、公知の技術を用いればよい。以下の相関を算出する手法についても同様である。
【００２６】
上述のＳ３の相関性の判定の結果、両者間の相関が所定未満で両者間に相関がないと判定したきは（相関性Ｎｏ）、処理装置Ａ２０２は、処理装置Ａ２０１に対して上述のパターンＡが示す年月日、及びパターンＡ’が示す年月日に基づいて、それら年月日のデータに対応付けて記憶装置Ａ３０１に記録されている期間のデータ（売上データ）２点を要求する（Ｓ５）。このとき、処理装置Ａ２０２は、パターンＡの正規化データが示す日付（年月日）の情報と、パターンＡ’の正規化データが示す日付の情報を記憶装置Ａ３０２などから読み取って、それら日付の情報を含むデータ要求を処理装置Ａ３０１へ送信する。すると、このデータ要求を処理装置Ａ２０１が受信すると、当該処理装置Ａ２０１は、記憶装置Ａ３０１に記憶されている中からパターンＡと同じ日付に対応付けられて記録された期間データＡ４０１（図示の例では、売上４５万円（２０１０年１２月１日））を抽出し、また、パターンＡ’と同じ日付に対応付けられて記録された期間データＡ４０２（図示の例では、売上５０万円（２０１０年１２月１０日））を抽出し、これら２つの期間データＡ４０１，Ａ４０２を処理装置Ａ２０２へ送信し、処理装置Ａ２０２が受信する（Ｓ６）。
【００２７】
処理装置Ａ２０２では、処理装置Ａ２０１から得た２つの期間データＡ４０１，Ａ４０２の相関性を判定し（Ｓ７）、この相関性の判定において相関ありと判定したときは（相関性Ｙｅｓ）、正規化データのパターンが異なっているが、売上が等しいので今まで利用していた制御ルールで問題ないこととなる。従って、処理装置Ａ２０２は、設備装置Ａ１０１及び設備装置Ａ１０２を、現状の制御ルールにより設備装置Ａ１０１および設備装置Ａ１０２を制御すると決定する（Ｓ８）。また、Ｓ７の相関性の判定において相関なしと判定したときは（相関性Ｎｏ）、処理装置Ａ２０２は、現状のパターンＡに適切な制御ルールを問い合わせるために、センターＣに対してパターンＡの正規化データ及び期間データＡ４０１を送信する（Ｓ９）。そしてセンターＣの処理装置Ｃ２０１がそれらのデータを受信する。
【００２８】
ここで、上述したように、センターＣの記憶装置Ｃ３０２には、売上データと当該売上データであるときの施設の期間データ（売上データ）の組合せに対して、最も適切と考えられる制御ルールが記録されている。そして、Ｓ９の送信処理によって、センターＣの処理装置Ｃ２０１が、各設備装置の正規化データを含むパターンＡ、及び期間データＡ４０１を受信すると、処理装置Ｃ２０１は、センターＣの記憶装置Ｃ３０２に記憶されているデータの中から正規化データのパターンＡ、及び期間データＡ４０１の組み合わせに類似したデータを検索する（Ｓ１０）。つまり、処理装置Ｃ２０１は、受信したパターンＡに相関の高いパターン（例えば、パターンＡが示す各設備装置の正規化データごとの相関が全て閾値以上であるパターン）と、受信した期間データＡ４０１に相関の高い期間データとの組合せを検索する。
【００２９】
上述の検索の結果、パターンＡの正規化データ及び期間データＡ４０１の組み合わせに類似したデータが検索されると（Ｓ１１（類似Ｙｅｓ））、その組み合わせに係る各設備装置の制御ルールをセンターＣの処理装置Ｃ２０１が読み取り、処理装置Ａ２０２へ送信する（Ｓ１２）。これにより、処理装置Ａ２０２は、現状のパターンＡの正規化データと、センターＣより受信した各設備装置の制御ルールとを記憶装置Ａ３０２に記録し（Ｓ１３）、その各制御ルールにより、設備装置Ａ１０１及び設備装置Ａ１０２を制御する。
【００３０】
他方、上述の検索の結果、パターンＡ及び期間データＡ４０１の組み合わせに類似したデータが検索されないとき（Ｓ１１（類似Ｎｏ））、すなわち、過去のデータ中に類似したデータが検索されないときは、処理装置Ｃ２０１は、現在の設備装置Ａ１０１及び設備装置Ａ１０２の運用状態（稼働状態）が過去に経験したことのない異常状態であると判定し、センターＣの表示装置Ｃ２０２へアラームを出力して係員に報知する（Ｓ１４）。したがって、係員は、施設Ａの設備装置Ａ１０１及び設備装置Ａ１０２の運用状態の異常を知ることができるので、この異常状態を解消するための適切な処置をとることができる。そして、異常状態を示すパターンＡの正規化データ、及び期間データＡ４０１の組み合わせのデータを、センターＣの記憶装置Ｃ３０２に異常パターンとして記録する（Ｓ１５）。この異常パターンのデータは、後の異常時発生時の参考資料とされる。
【００３１】
上記構成からなる多店舗型施設の設備運用システムは、設備装置Ａ１０１，Ａ１０２のデータを収集して一定時間単位で正規化されたパターンＡを生成し、その生成されたパターンＡが過去のパターンＡ’に相関しているか否かを判定し、相関性が得られないときにはパターンＡ及びパターンＡ’に係る期間データＡ４０１，Ａ４０２それぞれの売上データの相関性が判定する。そして、この判定で相関ありと判定したときは、設備運用システムは、現状の制御ルールで設備装置Ａ１０１，Ａ１０２を制御する。そして、その相関性の判定で相関が得られないと判定したときは、現状のパターンＡとそのパターンＡに係る期間データＡ４０１の組み合わせに類似する組み合わせをセンターＣの記憶装置Ｃ３０２から検索し、その検索により類似の組み合わせが抽出されたときは、その抽出に係る制御ルールで設備装置Ａ１０１，Ａ１０２を制御する。他方、その組み合わせが検索されないときは、異常と判定されてアラームの出力が行われ、係員に報知される。
【００３２】
したがつて、本実施例に係る多店舗型施設の設備運用システムは、過去の運用パターンと比較することができるので、設備装置Ａ１０１，Ａ１０２の効率的な運用を図ることができ、また、センターＣで管理している他の施設のデータとも比較できるので、施設Ａよりも効率的な運用している施設があればその施設の制御ルールで設備装置Ａ１０１，Ａ１０２を制御することができる。さらに、本実施例に係る多店舗型施設の設備運用システムは、他施設との比較で運用ナレッジを施設間で互いに学習できるので、時間経過とともに設備装置の運用効率を高めることができる。
【００３３】
上述の説明は、施設Ａに設けられている設備装置Ａ１０１，Ａ１０２の制御例であるが、施設Ｂに設けられている設備装置Ｂ１０１，Ｂ１０２も同様に制御される。また、図示されていない他の施設の設備装置も同様に制御される。
【００３４】
図４は、本発明に係る多店舗型施設の設備運用システムの他の例であって、近似した地域を一つの地域α，β…に設定するとともに、各地域α，β…を一つの施設Ａ，Ｂ…としている。そして、各施設Ａ，Ｂ…に含まれる店舗が上述の設備装置Ａ１０１，Ａ１０２、設備装置Ｂ１０１，Ｂ１０２、……に相当して運用される。この場合は、広域なエリアでのパターン及び制御ルールを構築して運用効率を高めることができる。
【００３５】
上述の多店舗型施設の設備運用システム内の各装置は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３６】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３７】
Ａ１０１，Ａ１０２，Ｂ１０１，Ｂ１０２・・・設備装置
Ａ２０２，Ｂ２０２，Ｃ２０１・・処理装置
Ａ３０１，Ａ３０２，Ｂ３０１，Ｂ３０２，Ｃ３０２・・・記憶装置
ＮＡ，ＮＣ・・・ネットワーク
Ｓ１，Ｓ２・・・センサ
【図１】
0005360090.tif 000002
【図２】
0005360090.tif 000003
【図３】
0005360090.tif 000004
【図４】
0005360090.tif 000005